(57)【要約】【課題】  土留板や腹起こし、切梁などの支保工を必要とせず、オープンシールド機を利用して簡単な構造で土留めでき、安定した状態で前方を掘削できて安全性が向上し、掘削しながら同時に新たなコンクリート函体を布設できて作業性も向上できる既設水路の取壊し方法を得る。【解決手段】  オープンシールド機１の前方に位置させて柵渠４などの既設水路にこれと直交方向に止水パネル５を配設し、オープンシールド機１のフロント部の隔壁３と刃口２と前記止水パネル５とで安定液注水区画９を形成し、この安定液注水区画９内に安定液１１を注水しながら掘削して既設の柵渠４などの水路を取り壊す。【選択図】        図１
2006169793.tif 000002
【特許請求の範囲】
【請求項１】
オープンシールド機の前方に位置させて既設水路にこれと直交方向に止水パネルを配設し、オープンシールド機のフロント部の隔壁と刃口と前記止水パネルとで安定液注水区画を形成し、この安定液注水区画内に安定液を注水しながら掘削して既設の柵渠などの水路を取り壊すことを特徴とする既設水路の取壊し方法。
【請求項２】
前記安定液注水区画を第１の安定液注水区画とし、その前方を別の止水パネルで区画して第２の安定液注水区画を形成し、オープンシールド機の推進と同時に第１の安定液注水区画の止水パネルを撤去して第１の安定液注水区画内の泥水を第２の安定液注水区画に流入させ、第２の安定液注水区画を新たな第１の安定液注水区画として安定液を注入しながら掘削し、これを繰り返して既設の柵渠などの水路を取り壊すことを特徴とする請求項１記載の既設水路の取壊し方法。
【発明の詳細な説明】
【技術分野】
【０００１】
本発明は、柵渠などの既設水路の取壊し方法に関するものである。
【背景技術】
【０００２】
柵渠などの既設水路を取り壊して、新たに筒状のコンクリート函体を布設し暗渠を築造する場合など、既設の柵渠を取り除いて新たなコンクリート函体が布設できる深度まで下方を掘削する必要があるが、掘削時に側方の地山が崩壊するおそれがある。そこで、地山崩壊を防ぐ手段として、従来は、例えば矢板などの土留板を建て込み、腹起こしや切梁を使用して山留めしている。
【０００３】
そして、このように機械的方法で山留めした範囲を掘削機で掘削し、掘削後、例えばオープンシールド機でコンクリート函体を新たに布設している。
【０００４】
前記先行技術は、当業者間で一般に行われているものであり、文献公知発明にかかるものではない。
【発明の開示】
【発明が解決しようとする課題】
【０００５】
前記方法では、側方を土留めするために、土留板や腹起こし、切梁などの支保工を別途必要とし、これらの建て込み、撤去の作業も必要となって作業性がよくないだけでなく、前方を掘削する工程とコンクリート函体を新たに布設する工程とが別作業となり、この点でも作業性のよくないものになっている。
【０００６】
本発明の目的は前記従来例の不都合を解消するものとして、土留板や腹起こし、切梁などの支保工を必要とせず、オープンシールド機を利用して簡単な構造で土留めでき、安定した状態で前方を掘削できて安全性が向上し、掘削しながら同時に新たなコンクリート函体を布設できて作業性も向上できる既設水路の取壊し方法を提供することにある。
【課題を解決するための手段】
【０００７】
本発明は前記目的を達成するものとして、請求項１記載の発明は、オープンシールド機の前方に位置させて既設水路にこれと直交方向に止水パネルを配設し、オープンシールド機のフロント部の隔壁と刃口と前記止水パネルとで安定液注水区画を形成し、この安定液注水区画内に安定液を注水しながら掘削して既設の柵渠などの水路を取り壊すことを要旨とするものである。
【０００８】
請求項１記載の本発明によれば、オープンシールド機のフロント部の隔壁と刃口とを利用し、その前方に止水パネルを配設するだけの簡単な構造で、四方を囲んだ安定液注水区画が形成され、この安定液注水区画内に安定液を注水すれば周囲の地山の緩みがとれるから、注水しながら掘削して既設の柵渠などの水路を取り壊すことにより、簡単な構造でオープンシールド機の前方を安定した状態で掘削でき、また、作業性も向上する。
【０００９】
請求項２記載の発明は、前記安定液注水区画を第１の安定液注水区画とし、その前方を別の止水パネルで区画して第２の安定液注水区画を形成し、オープンシールド機の推進と同時に第１の安定液注水区画の止水パネルを撤去して第１の安定液注水区画内の泥水を第２の安定液注水区画に流入させ、第２の安定液注水区画を新たな第１の安定液注水区画として安定液を注入しながら掘削し、これを繰り返して既設の柵渠などの水路を取り壊すことを要旨とするものである。
【００１０】
請求項２記載の本発明によれば、第１の安定液注水区画に注水してこの区画内を掘削しながら前進すれば、後方に同時にコンクリート函体を布設でき、作業性がよい。そして、第１の安定液注水区画を掘進と同時に、止水パネルを除去してゲートを開放し、第１の安定液注水区画の泥水を第２の安定液注水区画に流出させ、さらに第２の安定液注水区画に注水しながらこの区画内を掘進すれば、途切れることなく連続して注水しながら前進でき、作業性が向上する。
【発明の効果】
【００１１】
以上述べたように本発明の既設水路の取壊し方法は、土留板や腹起こし、切梁などの支保工を必要とせず、オープンシールド機の隔壁や刃口を利用して止水パネルを配設するだけの簡単な構造で前方の一定区画を土留めでき、安定した状態で前方を掘削できて安全性が向上し、掘進しながら同時に新たなコンクリート函体を布設できて作業性も向上できるものである。
【発明を実施するための最良の形態】
【００１２】
以下、図面について本発明の実施の形態を詳細に説明する。図１は本発明の既設水路の取壊し方法の第１実施形態を示す平面図、図２は同上縦断側面図で、図中１はオープンシールド機、２はオープンシールド機１のフロント部の刃口、３は隔壁を示し、既設水路である例えば柵渠４を取り壊す場合を例にとって説明する。
【００１３】
既設の柵渠４の後方にオープンシールド機１を配備し、その前方を所定の間隔（例えば梁の１スパン）で第１の止水パネル５を柵渠４と直行方向に配設し、さらにその前方を所定間隔で第２の止水パネル６を配設する。この場合、第１、第２の止水パネル５、６の固定手段は、柵渠４の側壁に止水パネル５、６の端部を固定する。
【００１４】
オープンシールド機１の上にはバックホーなどの掘削機８が搭載される。また、図中７は新たに布設される筒状のコンクリート函体を示し、このコンクリート函体７の高さは既設の柵渠４の深さよりも大きいものであり、このコンクリート函体７を布設するには、既設の柵渠４の下方をさらに深く掘削する必要がある。
【００１５】
既設の柵渠４を取り壊して新たにコンクリート函体７を布設するには、オープンシールド機１の前方に配設した第１の止水パネル５と刃口２と隔壁３とで囲まれた範囲を第１の安定液注水区画９として形成し、この第１の安定液注水区画９内に安定液１１を注水しながら柵渠４を撤去する。
【００１６】
これにより、既設の柵渠４が撤去されても、安定液１１が注入されているから周囲の地山が緩むことがなく、崩壊を防げる。安定液１１としては、例えば、ベントナイトと増粘材（ＣＭＣ）を混合したものを使用し、この安定液１１を既設の柵渠４の下方を掘削して生じた掘削土と混合し、攪拌する。その結果、掘削土は増粘材によってさらに粘性が増加されたベントナイトの粘性により、粘性を有するものとなるから、かたまって崩壊しにくくなる。
【００１７】
このようにして掘削機８で第１の安定液注水区画９内で柵渠４の下方をさらに掘削し、掘削土を排出する。安定液１１が減少した場合は随時注水し、掘削してオープンシールド機１を前進させ、さらに掘削して、安定液１１を注水し、オープンシールド機１を前進させる。この工程を繰り返して第１の安定液注水区画９の柵渠４を取り壊して下方を掘削する。この間、安定液１１は隔壁３、刃口２および止水パネル５で囲まれた中に注水されるから周囲に流れ出ることなく、安定した状態で掘削できる。
【００１８】
そして、オープンシールド機１が前進してテール部に形成される空間に筒状のコンクリート函体７を設置し、新たに暗渠を築造する。
【００１９】
第１の安定液注水区画９の掘削が進行した状態で、第１の止水パネル５を撤去し、第１の安定液注水区画９内の安定液１１を第２の安定液注水区画１０に流出させ、第２の安定液注水区画１０を前記第１の安定液注水区画９と同様にして柵渠４を撤去し掘削する。
【００２０】
このようにして第２の安定液注水区画１０を新たな第１の安定液注水区画とし、その前方をさらに別の止水パネルで区画して、新たな第２の安定液注水区画を形成する。これを繰り返して既設の柵渠４を取り壊し、新たにコンクリート函体４を布設する。
【００２１】
図３〜図５は第２実施形態を示し、オープンシールド機１のタイプとして、刃口２の前方にスライドジャッキにより突出する側方土留板１２を配設するとともに、機体の上部に門型のフレームにホイストなどを組み合わせた函体吊降ろし設備１３を備えたものである。
【００２２】
そして、この第２実施形態の場合は、側方土留板１２を前方に突出することにより、この側方土留板１２と隔壁３と止水パネル５とで第１の安定液注水区画９を形成する。この第１の安定液注水区画９は第１実施形態の場合に比較して、側方土留板１２が存在する分だけ、側方の地山崩壊がより防止され、第１の安定液注水区画９内に注水した安定液１１の逸脱も防げる。
【００２３】
また、コンクリート函体７の設置も、オープンシールド機１に設備されている門型の函体吊り降ろし設備１３の場所に搬入すれば、この函体吊り降ろし設備１３によりオープンシールド機１のテール部に簡単に吊り降ろしできる。よって、オープンシールド機１を前進させて第１の安定液注水区画９を掘削・排土しながら、後方では同時にコンクリート函体７を順次布設することができる。
【図面の簡単な説明】
【００２４】
【図１】本発明の既設水路の取壊し方法の第１実施形態を示す平面図である。
【図２】本発明の既設水路の取壊し方法の第１実施形態を示す縦断側面図である。
【図３】本発明の既設水路の取壊し方法の第２実施形態を示す平面図である。
【図４】本発明の既設水路の取壊し方法の第２実施形態を示す縦断側面図である。
【図５】本発明の既設水路の取壊し方法の第２実施形態を示す正面図である。
【符号の説明】
【００２５】
１  オープンシールド機          ２  刃口
３  隔壁                        ４  柵渠
５  第１の止水パネル            ６  第２の止水パネル
７  コンクリート函体            ８  掘削機
９  第１の安定液注水区画        １０  第２の安定液注水区画
１１  安定液                    １２  側方土留板
１３  函体吊り降ろし設備
【図１】
2006169793.tif 000003
【図２】
2006169793.tif 000004
【図３】
2006169793.tif 000005
【図４】
2006169793.tif 000006
【図５】
2006169793.tif 000007